(57)【要約】  【課題】  傾斜地に対応可能で、傾斜の角度にも自由に対応できるフエンスを提供する。  【解決手段】  横材２上に固定部３の周囲に円弧状の切欠４０、４０を２つ形成し、切欠４０、４０に囲まれた部分を曲げ部４とする。切欠４０、４０の間の連結部４１、４１において曲げ部４を長手方向に捻ることにより、縦材１に対して横材２を傾斜させることができる。即ち横材２に力を加えて長手方向に傾ければ、連結部４１、４１が捻れて、曲げ部４は動かず、縦材１は垂直を維持したまま、横材２本体のみが傾斜する。この傾斜角度は傾斜地に合わせて任意の角度とすることができる。  上記操作は施工現場と行うことも可能であるし、製造工場で行うことも可能である。この加工により、平地用の長方形のフエンスを傾斜地用の平行四辺形フエンスとすることができる。【選択図】  図３
2005188073.tif 000002
【特許請求の範囲】
【請求項１】
縦材と横材を有するフエンスにおいて、
縦材と横材の接続部に曲げ可能な材料からなる曲げ部を設け、
該曲げ部を曲げることにより、横材を縦材に対して傾斜可能とした、
ことを特徴とするフエンス。
【請求項２】
前記横材がフエンスの上下方向の端部に設けられた板材であり、
前記縦材の端部が該板材にほぼ直角に固定部において固定され、
該固定部に対応する横材の部分の周囲を切り欠き、該部分を曲げ可能な曲げ部とした、
請求項１に記載のフエンス。
【請求項３】
前記横材が板材であり、
前記縦材が該板材の側端部の固定部において固定され、
該板材の固定部の周囲を切り欠き、該固定部を曲げ可能な曲げ部とした、
請求項１に記載のフエンス。
【請求項４】
前記曲げ部が縦材と横材の接続部に介装された曲げ可能な板材である、
請求項１に記載のフエンス。
【発明の詳細な説明】
【技術分野】
【０００１】
この発明は、縦材と横材を有するフエンスに関する。
【背景技術】
【０００２】
フエンスには種々の形態のものがあるが、代表的なフエンスの構造として縦材と横材を組み合わせたものがある。
例えば、パイプなどの縦材を平行に多数配列し、その上下を胴縁と呼ばれる横材で連結したフエンスなどがその典型例として挙げられる。
【０００３】
また格子フエンスも代表的なフエンスであり、縦線材と横線材を交叉させ、該交叉部を溶接してフエンスとしている。
【発明の開示】
【発明が解決しようとする課題】
【０００４】
しかし、これらの横材と縦材を有するフエンスにおいて、傾斜地に対応した傾斜フエンスを作成する場合、横材を縦材に対して斜めに接続した傾斜用のフエンスを別途作成する必要があった。
また、横材を上下端に配設して胴縁とし、この胴縁に縦材の上下端をほぼ直角に溶接する構成のフエンスの場合には、横材を縦材に対して傾斜させて溶接するのが難しく、傾斜用フエンスの作成が困難である問題があった。
本発明は上記従来技術の問題を解決することを目的とする。
【課題を解決するための手段】
【０００５】
上記目的を達成するために、本発明は、縦材と横材を有するフエンスにおいて、縦材と横材の接続部に曲げ可能な材料からなる曲げ部を設け、該曲げ部を曲げることにより、横材を縦材に対して傾斜可能とした、ことを特徴とする。
以上の構成において、曲げ部を曲げることにより横材を縦材に対して傾斜させることができ、傾斜地に対応したフエンスとすることができる。この作業は施工現場でも可能である。そのため、傾斜地用のフエンスを別途作成する必要がない。また、傾斜の角度にも自由に対応できる。
更に、横材を縦材に斜めに溶接することができないような構造のフエンスでも、傾斜地用のフエンスを作成することが可能である。
【０００６】
また、前記横材がフエンスの上下方向の端部に設けられた板材であり、前記縦材の端部が該板材にほぼ直角に固定部において固定され、該固定部に対応する横材の部分の周囲を切り欠き、該部分を曲げ可能な曲げ部とした、構成とすることも可能である。縦材の端部を板材に斜めに溶接できないような場合に、この構成は効果がある。
【０００７】
更に前記横材が板材であり、前記縦材が該板材の側端部の固定部において固定され、該板材の固定部の周囲を切り欠き、該固定部を曲げ可能な曲げ部とした、構成も可能である。横材を板材とした格子フエンスなどにおいて、全体を傾斜させることが可能になる。
【０００８】
前記曲げ部を縦材と横材の接続部に介装された曲げ可能な板材とすれば、この板材を曲げることにより傾斜に対応することが可能である。この構成は種々の応用が可能である。
【発明の効果】
【０００９】
本発明のフエンスによれば、曲げ部を曲げることにより横材を縦材に対して傾斜させることができ、傾斜地に対応したフエンスとすることができ、傾斜地用のフエンスを別途作成する必要がない。また、傾斜の角度にも自由に対応できる。
更に、横材を縦材に斜めに溶接することができないような構造のフエンスでも、傾斜地用のフエンスを作成することが可能である。
【発明を実施するための最良の形態】
【００１０】
以下本発明の実施の形態を図面に基づいて説明する。
図１乃至図３において、このフエンスはほぼ平行に配設された縦材１の上端と下端に板材である横材２、２を固定し、フエンス体を構成している。
縦材１の先端部１０はテーパ形状の尖頭になっており、これを横材２の下側の面にほぼ直角に当てて溶接してある。この先端部１０と溶接１１の部分が固定部３となっている。
【００１１】
上記のような構成の場合、傾斜地用に横材２を斜めにして縦材１の先端と溶接しようとしても、現実には該溶接は簡単には行えない。
また、縦材１側を曲げる方法もあるが、径大の縦材１やパイプ材の縦材１では曲げ加工は難しくなる。更に、いずれの場合も、平地用と傾斜地用のフエンスを別々に製造して用意しておく必要がある。
【００１２】
この実施形態では、図３に示すように、横材２上に固定部３に対応する部分の周囲に円弧状の切欠４０、４０を２つ形成し、切欠４０、４０に囲まれた部分を曲げ部４としている。即ち、切欠４０、４０の間の連結部４１、４１において曲げ部４を長手方向に捻ることにより、縦材１に対して横材２を傾斜させることができるように構成されている。
【００１３】
図４の（Ａ）では、縦材１と横材２はほぼ直角になっている。この状態から、横材２に力を加えて長手方向に傾ければ、連結部４１、４１が捻れて、曲げ部４は動かず、縦材１は垂直を維持したまま、横材２本体のみが傾斜する。
この傾斜角度は傾斜地に合わせて任意の角度とすることができる。
【００１４】
上記操作は施工現場と行うことも可能であるし、製造工場で行うことも可能である。上記の曲げ加工により、図６（Ａ）に示すような平地用の長方形のフエンスを（Ｂ）に示すように平行四辺形として、支柱９、９間に張設すれば、傾斜地に対応したフエンスとなる。
【００１５】
なお、横材がフエンス中間部にある格子フエンスなどの場合には、上記曲げ加工を行った後に、フエンス中間部の横材を溶接などにより固定する方法が必要になる。
【００１６】
図５は切欠４０’の形状を馬蹄形としてものであり、このような形状であっても、上記と同様に横材２を傾斜させることが出来る。
【００１７】
図７乃至図１０に他の実施形態を示す。
図７において、ほぼ平行に配設された縦材１に複数の横材２がほぼ均等の間隔で配設され、固定されており、格子フエンスを形成している。
横材２は図８に示すように板材であり、この横材２の側端部において、縦材１の側面を溶接固定し固定部３としてある。
【００１８】
図９に示すように、横材２上の該固定部３の両脇に切欠４０、４０を形成し、その間を曲げ部４としてある。曲げ部４は連結部４１において横材２と連結している。図９（Ａ）は縦材１を横材２の同じ面に配設した例を示す。（Ｂ）は縦材１を交互に横材２の表面と裏面に配設した例を示す。
この構造においても、図１０（Ａ）に示すように、縦材１と横材２がほぼ直角の状態から、横材２を斜めにして、縦材１に力を加えて垂直位置に戻すと、連結部４１、４１が捻れて、曲げ部４は動かず、縦材１は垂直を維持したまま、横材２本体のみが傾斜する。
この傾斜角度も傾斜地に合わせて任意の角度とすることができる。
【００１９】
図７乃至図１０の構成では縦材と板材の横材からなる格子フエンスにおいて、平地用のフエンスを傾斜地用に傾けることが可能になる。
【００２０】
図１１は更に他の実勢形態を示すもので、ここでは縦材１と横材２の接続部に曲げ可能な板材である曲げ部４を介在させて、縦材１と横材２を接続してある。
この構成では、曲げ部４の捻りにより、横材２を傾斜させることが可能である。
またこの構成では横材２側に加工が必要ないため、横材２側が板材である必要はなく、パイプや線材であっても良い。そのため、縦材１と横材２を線材として、傾斜可能な線格子フエンスを構成することも可能である。
【図面の簡単な説明】
【００２１】
【図１】本発明の一実施形態を示す概略正面図。
【図２】本発明の一実施形態を示す概略側面図。
【図３】本発明の一実施形態を示す概略平面図。
【図４】本発明の一実施形態の動作を示す説明図。
【図５】本発明の一実施形態の切欠４０の他の例を示す概略平面図。
【図６】本発明の一実施形態の傾斜地対応状態を示す説明図。
【図７】本発明の他の実施形態を示す概略正面図。
【図８】本発明の他の実施形態を示す概略側面図。
【図９】本発明の他の実施形態を示す概略平面図。
【図１０】本発明の他の実施形態の動作を示す説明図。
【図１１】本発明の更に他の実施形態を示す概略平面図。
【符号の説明】
【００２２】
１：縦材、２：横材、３：固定部、４：曲げ部、９：支柱、１０：先端部、１１：溶接、４０：切欠、４１：連結部。
【図１】
2005188073.tif 000003
【図２】
2005188073.tif 000004
【図３】
2005188073.tif 000005
【図４】
2005188073.tif 000006
【図５】
2005188073.tif 000007
【図６】
2005188073.tif 000008
【図７】
2005188073.tif 000009
【図８】
2005188073.tif 000010
【図９】
2005188073.tif 000011
【図１０】
2005188073.tif 000012
【図１１】
2005188073.tif 000013